(57)【要約】【課題】発光ダイオード照明装置の照明角度を従来よりも拡大する構成を有する照明装置の提供。【解決手段】前方に向かう設置面（２１）を有するベース（２）と、前記設置面の中心において前記設置面と直交する中軸線（Ｌ）を周りから囲むように前記設置面に配置されている反射フード（３）と、射出する光の一部が前記反射フードの外表面により反射されると共に、反射されない光の投光範囲が前記前方方向をも含むように、前記反射フードの外側の前記設置面に配置構成されている複数の第１の発光手段（４）とを備えていることを特徴とする照明装置を提供する。【選択図】図３
2013026074.tif 000002
【特許請求の範囲】
【請求項１】
前方に向かう設置面を有するベースと、
前記設置面の中心において前記設置面と直交する中軸線を周りから囲むように、前記設置面に配置されている環状の反射フードと、
射出される光の一部が前記反射フードの外表面により反射されると共に、反射されない光の投光範囲が前記前方方向をも含むように、前記反射フードの外側の前記設置面に配置構成されている複数の第１の発光手段と、
を備えていることを特徴とする照明装置。
【請求項２】
前記反射フードは、前記前方方向と直交する横断面における内周縁及び外周縁が、共に前記前方方向に沿って段々張り出すようになっていることを特徴とする請求項１に記載の照明装置。
【請求項３】
前記第１の発光手段は、回路基板と該回路基板に取り付けられている発光ダイオードモジュールとからなり、
前記回路基板は、前記発光ダイオードモジュールの投光方向が前記反射フードの外表面の正面に向かい、且つ、前記回路基板の板面が前記前方方向に沿って段々前記反射フードの外表面から離れるように斜めに取り付けられていることを特徴とする請求項２に記載の照明装置。
【請求項４】
前記回路基板と前記設置面とが成す角度が３０°〜６０°の間にあることを特徴とする請求項３に記載の照明装置。
【請求項５】
前記設置面には、前記回路基板を支持することができる斜面支持部が突起していることを特徴とする請求項３または請求項４に記載の照明装置。
【請求項６】
前記設置面の中心近くにおいて前記前方に向かって突起している支持台の先端の周縁に、前記反射フードが固定されていることを特徴とする請求項１〜請求項５のいずれか一項に記載の照明装置。
【請求項７】
前記反射フードの内側に、前記反射フードと一体的に形成され、且つ前記反射フードの後端部から前記前方へ突起している取付台が形成されており、
前記取付台に、前記前方に向かって投光する第２の発光手段が取り付けられていることを特徴とする請求項６に記載の照明装置。
【請求項８】
すべての前記第１の発光手段を、前記設置面に押し付けて固定するように配置構成されている固定フレームを、更に有していることを特徴とする請求項１〜請求項７のいずれか一項に記載の照明装置。
【請求項９】
前記ベースの前記一端に、光が通過できる材料であって、後端側が凹陥し、前端側が球面になって突起するようにドーム状に形成されたカバーが取り付けられており、
前記カバーの凹陥部分と前記ベースとにより画成された空間内に、前記反射フードと、前記第１及び第２の発光手段とが配置されていることを特徴とする請求項１〜請求項８のいずれか一項に記載の照明装置。
【請求項１０】
前記カバーは、外層部と、前記外層部と間をあけて前記外層部の後側に配置されている内層部とからなる二層構造になっており、
前記内層部の後側の内表面に、複数の球面突起が形成されていることを特徴とする請求項９に記載の照明装置。
【発明の詳細な説明】
【技術分野】
【０００１】
本発明は照明装置に関し、特に、発光ダイオード照明装置の照明角度を従来よりも拡大する構成を有する照明装置に関する。
【背景技術】
【０００２】
従来の発光ダイオード照明装置は、例えば特許文献１に記載されているものがある。図５に示されているように、該従来の発光ダイオード照明装置１は、本体１０の上端にバルブ１１が取り付けられている電球型発光ダイオード照明装置であり、本体１０の上端にある設置面１２に発光ダイオードモジュールからなる発光素子１３が設けられており、該発光素子１３から発せられる光が照明を果たす構成になっている。
【０００３】
しかし、該発光ダイオード照明装置は発光素子１３が本体の上端に設けられているので、照明できる範囲はほぼ上端側に限られており、本体の側面側へは照明効果がよくない。
【先行技術文献】
【特許文献】
【０００４】
【特許文献１】特開２０１１−１１３８６１号明細書
【発明の概要】
【発明が解決しようとする課題】
【０００５】
上記問題点に鑑みて、本発明は発光ダイオード照明装置の照明角度を従来よりも拡大する構成を有する照明装置の提供を目的とする。
【課題を解決するための手段】
【０００６】
上記目的を達成すべく、本発明は、前方に向かう設置面を有するベースと、前記設置面の中心において前記設置面と直交する中軸線を周りから囲むように、前記設置面に配置されている反射フードと、射出する光の一部が前記反射フードの外表面により反射されると共に、反射されない光の投光範囲が前記前方方向をも含むように、前記反射フードの外側の前記設置面に配置構成されている複数の第１の発光手段とを備えていることを特徴とする照明装置を提供する。
【０００７】
上記照明装置において、前記反射フードは、前記前方方向と直交する横断面における内周縁及び外周縁が共に前記前方方向に沿って段々張り出すようになっていることが好ましい。
【０００８】
上記照明装置において、前記第１の発光手段は、回路基板と該回路基板に取り付けられている発光ダイオードモジュールとからなり、前記回路基板は、前記発光ダイオードモジュールの投光方向が前記反射フードの外表面の正面に向かい、且つ、該回路基板の板面が前記前方方向に沿って段々前記反射フードの外表面から離れるように斜めに取り付けられていることが好ましい。
【０００９】
上記照明装置において、前記回路基板と前記設置面とが成す角度は３０°と６０°の間にあることが好ましい。
【００１０】
上記照明装置において、前記設置面には、前記回路基板を支持することができる斜面支持部が突起していることが好ましい。
【００１１】
上記照明装置において、前記設置面の中心近くから前記前方に向かって突起している支持台の先端の周縁に、前記反射フードが固定されていることが好ましい。
【００１２】
上記照明装置において、前記反射フードの内側に、前記反射フードと一体的に形成され、且つ前記反射フードの後端部から前記前方へ突起している取付台が形成されており、前記取付台に、前記前方に向かって投光する第２の発光手段が取り付けられていることが好ましい。
【００１３】
上記照明装置において、すべての前記第１の発光手段を前記設置面に押し付けて固定するように配置構成されている、固定フレームを更に有していることが好ましい。
【００１４】
上記照明装置において、前記ベースの前記一端に、光が通過できる材料であって、後端側が凹陥し、前端側が球面になって突起するようにドーム状に形成されたカバーが取り付けられており、前記カバーの凹陥部分と前記ベースとにより画成された空間内に、前記反射フードと、前記第１及び第２の発光手段が配置されていることが好ましい。
【００１５】
上記照明装置において、前記カバーは、外層部と、前記外層部と間をあけて前記外層部の後側に配置されている内層部とからなる二層構造になっており、前記内層部の後側の内表面に、複数の球面突起が形成されていることが好ましい。
【発明の効果】
【００１６】
上記構成により、本発明は反射フードによって、複数の第１の発光手段から発せられる光をベースの側面側へ反射することができるので、特に発光ダイオード照明装置の照明角度を従来よりも拡大することができる。
【図面の簡単な説明】
【００１７】
【図１】本発明の照明装置の外部構成が示されている斜視図である。
【図２】本発明の照明装置のバルブ内の構成が示されている説明図である。
【図３】本発明の照明装置の構成が示されている分解図である。
【図４】本発明の照明装置の構成が示されている一部断面図である。
【図５】従来の照明装置の構成例が示されている断面図である。
【発明を実施するための形態】
【００１８】
図１は本発明の照明装置の外部構成が示されている斜視図であり、図示のように、本発明はベース２の前端にカバー７が取り付けられている電球型発光ダイオード照明装置である。
【００１９】
ちなみに、この説明における前後方向は図中の上下方向を指し、即ち上方は前方、下方は後方と言い、これは各部品の位置関係をわかりやすく説明するために用いられる用語であり、本発明の照明装置の構成または使用状態を制限するものではない。
【００２０】
図２〜図４では本発明の照明装置の好ましい実施形態の構成が示されている。
【００２１】
図示のように、本発明の照明装置は、前方に向かう設置面２１を有するベース２と、設置面２１の中心において、前記設置面と直交する中軸線Ｌの近くに、前方に向かって投光するように配置構成されている第２の発光手段５と、中軸線Ｌ及び第２の発光手段５を周りから囲むように、設置面２１に配置されている反射フード３との他、更に、反射フード３の外側の設置面２１に、反射フード３に向かって投光するように配置されている複数の第１の発光手段４を備えている。
【００２２】
そして、図示のように、設置面２１の中心近くにおいて、支持台２３が前方に向かって突起するように形成されており、該支持台２３の先端２３１の周縁に、反射フード３が固定されている。また、支持台２３の外側には、各第１の発光手段４を支持することができる斜面支持部２２が突起している。
【００２３】
反射フード３は、外表面３１によって、複数の第１の発光手段５から発せられる光をベースの側面側へ反射し、内表面３２によって、第２の発光手段４から発せられる光をベースの前面側へ反射することができるよう、内外表面に共に鏡面処理が施されており、前方方向と直交する横断面における内周縁（内表面３２に対応）及び外周縁（外表面３１に対応）が共に前方方向に沿って段々張り出すようにラッパ状に形成されている。
【００２４】
更に、反射フード３の内側に、反射フード３の後端部から前方へ突起する取付台３３が、反射フード３と一体的に形成されている。
【００２５】
第２の発光手段５は、取付台３３に取り付けられている第２の回路基板５１と、第２の回路基板５１に取り付けられている複数の発光ダイオードモジュール５２とを備えている。
【００２６】
ちなみに、取付台３３の中心あたりに、凹陥部３３１が支持台２３まで窪むように形成されている。凹陥部３３１と支持台２３とが接触している部分に、凹陥部３３１及び支持台２３を貫通し、例えば第２の発光手段５に作動に必要な電力を提供する電気コードが通過できる、貫通孔が形成されている。
【００２７】
第１の発光手段４は、斜面支持部２２に取り付けられている第１の回路基板４１と、第１の回路基板４１に取り付けられている複数の発光ダイオードモジュール４２とを備えている。
【００２８】
各斜面支持部２２は、各第１の発光手段４の第１の回路基板４１を乗せる斜面２２１を有するように形成されており、各第１の発光手段４の第１の回路基板４１に取り付けられている発光ダイオードモジュール４２が、反射フード３の外表面３１の正面に向かって投光することができるように、各第１の発光手段４の第１の回路基板４１の板面が、前方方向に沿って段々前記反射フードの外表面から離れるように、斜めに支持されている。また、各第１の回路基板４１と設置面２１とが成す角度は、反射フード３の外表面３１の形状に対応しているが、３０°と６０°との間にあることが好ましく、この実施形態では４５°に設定されている。
【００２９】
第１の発光手段４が有する発光ダイオードモジュール４２は、反射フード３に向かって投光するが、反射フード３の外表面３１により反射されない射出光の投光範囲が、前方方向をも含むようにするために、半値角が一定以上のものを使用する必要がある。この実施形態において、発光ダイオードモジュール４２の半値角は９０°である。
【００３０】
ちなみに、この実施形態において、各斜面支持部２２の前端は、支持台２３の先端２３１よりも突出して前方寄りになっている。
【００３１】
この実施形態は、すべての第１の発光手段４を一斉に設置面２１に押し付けて固定するように配置構成されている環状の固定フレーム６を、更に有している。
【００３２】
固定フレーム６は、各斜面支持部２２に対応して光を通過させることができる通過孔６２が形成されているフレーム体６１に、各第１の発光手段４の第１の回路基板４１を各斜面支持部２２に押し付けることができる押し付け部６３が形成されるように、構成されている。
【００３３】
ベース２の前端に取り付けられているカバー７は、光が通過できる材料により、後端側が凹陥し、前端側が球面になって突起するようにドーム状に、形成されている。カバー７の凹陥部分とベース２とにより画成された空間内に、反射フード３と、第１及び第２の発光手段４、５とが配置されている。
【００３４】
また、この実施形態においてカバー７は、外層部７１と、外層部７１と間をあけて外層部７１の後側に配置されている内層部７２とからなる二層構造になっており、内層部７２の後側の内表面に、複数の球面突起７２１が形成されている。
【産業上の利用可能性】
【００３５】
上記構成により、本発明は反射フードによって、複数の第１の発光手段から発せられる光をベースの側面側へ反射することができるので、従来よりも広い、縦断面において略２４０°までの照明角度を有する照明装置を提供することができ、例えば乗用車のランプから家庭用の照明器具まで、さまざまな照明手段に適用することができる。
【符号の説明】
【００３６】
１  発光ダイオード照明装置
１０  本体
１１  バルブ
１２  設置面
１３  発光素子
２  ベース
２１  設置面
２２  斜面支持部
２２１  斜面
２３  支持台
２３１  先端
３  反射フード
３１  外表面
３２  内表面
３３  取付台
３３１  凹陥部
４  第１の発光手段
４１  第１の回路基板
４２  発光ダイオードモジュール
５  第２の発光手段
５１  第２の回路基板
５２  発光ダイオードモジュール
６  固定フレーム
６１  フレーム体
６２  通過孔
６３  押し付け部
７  カバー
７１  外層部
７２  内層部
７２１  球面突起
【図１】
2013026074.tif 000003
【図２】
2013026074.tif 000004
【図３】
2013026074.tif 000005
【図４】
2013026074.tif 000006
【図５】
2013026074.tif 000007